(57)【要約】【課題】  番組に関する視聴者の生の感想もしくは本音の感想を、煩雑な手間無く、容易に得られるようにする。【解決手段】  テレビ信号を受信して映像及び音声を出力する携帯型視聴装置。視聴中の番組を識別する番組識別手段と、視聴者の状態を監視する状態監視手段と、所定時間の監視結果に基づいて状態をランク付けして当該番組に対する当該視聴者の状態順位とする順位決定手段と、を有する。【選択図】      図１
2005210155.tif 000002
【特許請求の範囲】
【請求項１】
テレビ信号を受信して映像及び音声を出力する携帯型視聴装置であって、
視聴中の番組を識別する番組識別手段と、
視聴者の状態を監視する状態監視手段と、
所定時間の監視結果に基づいて状態をランク付けして当該番組に対する当該視聴者の状態順位とする順位決定手段と、
を有することを特徴とする携帯型視聴装置。
【請求項２】
請求項１に於いて、
前記状態監視手段は、画面前方を撮影可能に設けられたカメラと、該カメラの撮影画像に基づいて視聴者が画面を見ているか否かを判別する視認判別手段であり、
前記順位決定手段は、視聴者が画面を見ている時間が前記所定時間中に占める割合に基づいてランク付けを行う、
ことを特徴とする携帯型視聴装置。
【請求項３】
請求項１に於いて、
前記状態監視手段は、視聴者の生体状態を検出する生体センサであり、
当該携帯型視聴装置の使用時の前記生体センサの検出値を定期的に取得して代表値を求めて保持する代表値保持手段を更に有し、
前記順位決定手段は、視聴者の生体状態を前記代表値と比較して該代表値からのずれに基づいてランク付けを行う、
ことを特徴とする携帯型視聴装置。
【請求項４】
請求項３に於いて、
前記生体センサは、当該携帯型視聴装置の筐体を握る力を検出する圧力センサ、当該携帯型視聴装置の筐体を握る手の発汗量を検出する発汗センサ、当該携帯型視聴装置の筐体を握る手の体温を検出する体温センサ、から選ばれた少なくとも一つのセンサである、
ことを特徴とする携帯型視聴装置。
【請求項５】
請求項１〜請求項４の何れかに於いて、
移動電話機機能と、
前記順位決定手段が決定した状態順位を当該状態の種別と当該番組とに対応付けて所定の宛先へ送信する順位送信手段と、
を更に有することを特徴とする携帯型視聴装置。
【請求項６】
請求項１に於いて、
移動電話機機能を更に有し、
前記状態監視手段は、移動電話機のマイクであり、
前記順位決定手段は、前記マイクから入力される視聴者の音声の解析結果に基づいて所定の感情についてのランク付けを行う、
ことを特徴とする携帯型視聴装置。
【請求項７】
請求項６に於いて、
前記順位決定手段が決定した状態順位を当該状態の種別と当該番組とに対応付けて所定の宛先へ送信する順位送信手段を更に有する、
ことを特徴とする携帯型視聴装置。
【発明の詳細な説明】
【技術分野】
【０００１】
本発明は、テレビ機能付きの携帯電話機のような携帯型視聴装置に関し、詳しくは、視聴者の反応を調べる機能を備えた装置に関する。
【背景技術】
【０００２】
テレビ視聴率の調査は、専用の機器を取り付けたテレビ受像機から調査会社へ、現在視聴中の局を報告することにより行われている。
視聴者に対して特定のテレビ番組に関するアンケート調査を個々に行い、その結果を集計して当該番組の評判を調べる場合がある。
テレビ受像機としての機能を搭載した携帯電話機が提供されている。なお、現時点ではアナログ放送受信用の機器のみが提供されているが、近い将来、デジタル放送の受信機能を備えた携帯電話機機も提供されると思われる。
【０００３】
通信事業者のサーバから会員の端末装置へインターネットを介してマーケットリサーチ用のアンケートを配信し、回答を受信して分析するとともに、回答した会員にポイントを還元するマーケットリサーチシステムが提案されている（特許文献１，参照）。
ハンドルカバーを電極として用い、両手がハンドルに触れている時の電位差に基づいて心電図を検出して、ハンドルに設けた送信ユニットから送信するようにした心電図センサが知られている（非特許文献１，参照）。この技術では、心電図から心拍数の連続的な変化を求め、自動車運転中のドライバーの眠気の度合いを推定している。
湯飲み茶碗や電話機等のような日常の生活用品や什器に、血流量等の生体信号を検出するセンサを埋設しておき、適時に測定して健康状態をモニタすることが、産総研特許紹介に示唆されている(htto://www.aist.go.jp/aist_j/research/patent/2002/05_1/)。
音声を分析して心理状態を推定する技術は公知であり、例えば、その応用として、アルファ・オメガソフトの音声心理分析ソフト「Trust Pro」（http://pr.fujitsu.com/jp/news/2001/02/15-3.html）や、トラステック社の「Truster」（http://www/syatyu.com/shop/143/top.htm）等が知られている。
【０００４】
【特許文献１】特開２００２−１４０４８８号公報。
【非特許文献１】PIONEER R&D Vol.13 No.2
【発明の開示】
【発明が解決しようとする課題】
【０００５】
視聴率調査では、或る番組を見たか否かはわかるが、当該或る番組を視聴者がどのように感じたかまではわからない。また、専用の機器を用いて調査しているため、調査の母数が限られてしまい、結果、視聴率の精度にも問題が生ずると思われる。
アンケート調査では、視聴者を個々に抽出して回答を依頼する必要があるため、手間が煩雑である。また、回答時に視聴者が熟考する場合が多く、その結果として、生の感想ではなく、当該視聴者にとっての理想的な感想、言い換えれば、身構えた感想が回答されてしまう場合もあり、その意味での精度上の問題もある。
本発明は、番組に関する視聴者の生の感想もしくは本音の感想を、煩雑な手間無く、容易に得られるようにすることを第１の目的とする。また、得られた結果を、例えば、放送事業者や番組提供者等に宛てて送信できるようにすることを第２の目的とする。
【課題を解決するための手段】
【０００６】
本発明の第１の目的は下記［１］〜［７］の構成の何れかにより達成され、第２の目的は下記［５］と［７］の構成により達成される。
［１］構成１：
テレビ信号を受信して映像及び音声を出力する携帯型視聴装置であって、
視聴中の番組を識別する番組識別手段と、
視聴者の状態を監視する状態監視手段と、
所定時間の監視結果に基づいて状態をランク付けして当該番組に対する当該視聴者の状態順位とする順位決定手段と、
を有することを特徴とする携帯型視聴装置。
番組の識別は、デジタル放送であれば、トランスポートストリーム（ＴＳ）のヘッダ情報中のＰＳＩ（Program Specific Information）に基づいて行うことができる。アナログ放送であれば、番組表を装置側で持ち、現在時刻と選局状態から求めることができる。
状態を監視する手段としては、例えば、下記構成２、３、６に記載のセンサ等を挙げることができる。
状態の順位とは、例えば、当該番組を見ている度合い（注視程度）、当該番組について感じている感情（怒り、喜び、悲しみ等）の度合い、等である。
【０００７】
［２］構成２：
構成１に於いて、
前記状態監視手段は、画面前方を撮影可能に設けられたカメラと、該カメラの撮影画像に基づいて視聴者が画面を見ているか否かを判別する視認判別手段であり、
前記順位決定手段は、視聴者が画面を見ている時間が前記所定時間中に占める割合に基づいてランク付けを行う、
ことを特徴とする携帯型視聴装置。
［３］構成３：
構成１に於いて、
前記状態監視手段は、視聴者の生体状態を検出する生体センサであり、
当該携帯型視聴装置の使用時の前記生体センサの検出値を定期的に取得して代表値を求めて保持する代表値保持手段を更に有し、
前記順位決定手段は、視聴者の生体状態を前記代表値と比較して該代表値からのずれに基づいてランク付けを行う、
ことを特徴とする携帯型視聴装置。
［４］構成４：
構成３に於いて、
前記生体センサは、当該携帯型視聴装置の筐体を握る力を検出する圧力センサ、当該携帯型視聴装置の筐体を握る手の発汗量を検出する発汗センサ、当該携帯型視聴装置の筐体を握る手の体温を検出する体温センサ、から選ばれた少なくとも一つのセンサである、
ことを特徴とする携帯型視聴装置。
［５］構成５：
構成１〜４の何れかに於いて、
移動電話機機能と、
前記順位決定手段が決定した状態順位を当該状態の種別と当該番組とに対応付けて所定の宛先へ送信する順位送信手段と、
を更に有することを特徴とする携帯型視聴装置。
【０００８】
［６］構成６：
構成１に於いて、
移動電話機機能を更に有し、
前記状態監視手段は、移動電話機のマイクであり、
前記順位決定手段は、前記マイクから入力される視聴者の音声の解析結果に基づいて所定の感情についてのランク付けを行う、
ことを特徴とする携帯型視聴装置。
［７］構成７：
構成６に於いて、
前記順位決定手段が決定した状態順位を当該状態の種別と当該番組とに対応付けて所定の宛先へ送信する順位送信手段を更に有する、
ことを特徴とする携帯型視聴装置。
【発明の効果】
【０００９】
構成１の携帯型テレビ視聴装置は、視聴中の番組を識別する番組識別手段と、視聴者の状態を監視する状態監視手段と、所定時間の監視結果に基づいて状態をランク付けして当該番組に対する当該視聴者の状態順位とする順位決定手段とを有するため、番組視聴に起因する視聴者の状態についての知見を、煩雑な手間無く容易に得ることができる。
構成２の携帯型テレビ視聴装置は、構成１の状態監視手段が、画面前方を撮影可能に設けられたカメラと、該カメラの撮影画像に基づいて視聴者が画面を見ているか否かを判別する手段から成り、視聴者が画面を見ている時間が前記所定時間中に占める割合に基づいて順位決定手段がランク付けを行うため、視聴者が番組中で実際に番組を見ている時間の割合を得ることができる。
構成３の携帯型テレビ視聴装置は、構成１の状態監視手段が視聴者の生体状態を検出する生体センサであり、当該携帯型視聴装置の使用時の生体センサの検出値を定期的に取得して代表値を求めて保持する代表値保持手段を更に有し、順位決定手段が視聴者の生体状態を上記代表値と比較して該代表値からのずれに基づいてランク付けを行うため、番組視聴に起因する視聴者の生体反応についての知見を高い精度で得ることができる。
構成４の携帯型テレビ視聴装置は、構成３の生体センサとして、圧力センサ、発汗センサ、体温センサという具体例を与えることができる。
構成５の携帯型テレビ視聴装置は、構成１〜４の何れかに於いて、移動電話機としての機能と、順位決定手段が決定した状態順位を当該状態の種別と当該番組とに対応付けて所定の宛先へ送信する手段とを更に有するため、得られた結果を、例えば、放送事業者や番組の提供者宛に送信することができる。
構成６の携帯型テレビ視聴装置は、構成１に於いて、移動電話機機能を更に有し、状態監視手段として移動電話機のマイクを用い、順位決定手段はマイクから入力される視聴者の音声の解析結果に基づいて所定の感情についてのランク付けを行うため、移動電話機が元々備えているマイクを用いて、番組視聴に起因する視聴者の感情についての知見を得ることができる。
構成７の携帯型テレビ視聴装置は、構成６に於いて、順位決定手段が決定した状態順位を当該状態の種別と当該番組とに対応付けて所定の宛先へ送信する順位送信手段を更に有するため、得られた結果（番組視聴に起因する視聴者の感情についての知見）を、例えば、放送事業者や番組の提供者宛に送信することができる。
放送事業者は、視聴者から収集した生のデータを元に、視聴者が見たい番組を作成することができ、その結果、公告収入増が期待できる。また、番組提供元の企業は、ブランド価値の向上が期待できる。
【発明を実施するための最良の形態】
【００１０】
以下、図面を参照して本発明を具体的に説明する。
図１は、デジタル放送を受信して映像や音声を再生するテレビ機能を備えた携帯電話機として、本発明を具体化した装置を例示するブロック図である。
【００１１】
携帯電話機：
携帯電話機の構成要素は、アンテナ５９、電話用送受信回路２１、チャネルコーデック２２、音声コーデック２３、マイク５１、スピーカ５２、カメラ５３、入力装置５４、表示装置５５、及び制御装置１０である。なお、カメラ５３は正確には携帯電話機の構成要素ではないが、携帯電話機に標準搭載され始めているため、ここでは、携帯電話機の構成要素に含める。また、マイク５１とカメラ５３は、番組視聴時の視聴者の状態（番組注視状態、感情）を検出するための機器としても用いる。
【００１２】
アンテナ５９で受信された電話電波は、電話用送受信回路２１にて復調され、チャネルコーデック２２にて分解されて必要なチャネルの音声信号が取り出され、音声コーデック２３にてアナログ信号に変換され、スピーカ５２から音声として出力される。
マイク５１から入力された音声は、音声コーデック２３にてデジタル化され、制御装置１０からの制御信号とともにチャネルコーデック２２にてＴＤＭＡ（又はＣＤＭＡ）信号へ変換され、電話用送受信回路２１にて変調されて、アンテナ５９から送出される。
【００１３】
着信が検出されると、制御装置１０は報知音をスピーカ５２から出力する。なお、不図示のバイブレータを振動させるようにしてもよい（マナーモードの場合）。
入力装置５４は、呼出相手先の電話番号の入力、モードの設定もしくは切り換え（電話モードとテレビ視聴モードの切り換え等）、メールの入力等、携帯電話機として必要な種々の入力に用いられる。
表示装置５５は、着信／呼出相手先の電話番号の表示や、モードの表示、メールの表示等、携帯電話機として必要な種々の表示に用いられる。
【００１４】
テレビ視聴装置：
テレビ視聴装置の構成要素は、アンテナ５９、テレビ用受信回路３１、デスクランブラ３２、デマルチプレクサ３３、デコーダ（例：ＭＰＥＧデコーダ）３４、音声処理回路３５、スピーカ５２、映像処理回路３６、表示装置５５、入力装置５４、及び制御装置１０である。また、番組視聴時の視聴者の状態の一つである生体反応を検出するための部材として、先述のマイク５１とカメラ５３のほかに、圧力センサ／発汗センサ／体温センサ５７が設けられている。
【００１５】
アンテナで受信されたテレビ電波は、テレビ用受信回路３１にて選局・復調・誤り訂正され、デスクランブラ３２にてスクランブルを解除されてトランスポートストリーム（ＴＳ）が取り出される。このトランスポートストリーム（ＴＳ）からデマルチプレクサ３３にて対象番組のパケットが取り出されるとともに、当該対象番組を特定する識別情報が取り出される。更にサービスインフォメーション（ＳＩ）が取得され、クロックが再生される。取り出されたパケットは、デコーダ３４にて音声データと映像データに復号され、それぞれ、音声処理回路３５によりアナログの音声信号に変換されてスピーカ５２から音声として出力され、及び、映像処理回路３６により表示装置５５に適合する走査フォーマットのアナログのビデオ信号に変換されて表示装置５５から映像として出力される。
【００１６】
視聴者の反応取得手順：
図２は番組視聴者の反応を取得する手順を示すフローチャートである。
更新タイミングになると（Ｓ０１でＹＥＳ）、当該更新タイミングになったセンサ（圧力センサ／発汗センサ／体温センサ）の検出信号を取り込み、メモリ（不図示）の検出値格納用の所定のエリアに格納する。また、過去の検出値との平均値（又は、最頻値や中央値等の他の代表値でもよい）を求めて、当該検出した生体状態（携帯電話機の筐体を握る手の圧力／携帯電話機の筐体を持つ手の発汗量／携帯電話機の筐体を持つ手の体温）の代表値として、メモリ（不図示）の代表値格納用の所定のエリアに格納する（Ｓ０３）。更新タイミングは、圧力センサと発汗センサと体温センサとで共通でもよく、センサ毎に異なっていてもよい。例えば、１０秒毎、１分毎、５分毎等、適宜に設定されているものとする。また、過去の検出値は、直近の過去の所定期間（例：半日〜１０日程度）又は所定回数の検出値とすることができる。ここでは、当該視聴者の比較的短期間の過去の検出値を代表値演算に組み入れるようにしているため、当該視聴者に適合した値をモニタリング結果との比較（Ｓ１７参照）に用いることができる。また、疾病等で発熱しているような場合でも、代表値自体に当該発熱が組み込まれることとなるため、当該発熱の影響を除去して精度の高い比較を行うことができる。
【００１７】
番組が開始されると（Ｓ１１でＹＥＳ）、状態の監視を開始する（Ｓ１３）。
即ち、圧力センサ／発汗センサ／体温センサの検出信号を継続的に取り込み、各検出値をそれぞれメモリの所定のエリアに記憶する。継続的とは、番組中、比較的短い間隔で定期的に取り込むことで足り、必ずしも連続的に取り込まなくてもよい。例えば、５秒毎等に取り込むことでもよい。当然ながら、連続的に取り込んでもよい。
また、カメラ５３で撮影した画像に基づいて、当該視聴者が画面を見ているか否かを判別し、見ている時間と見ていない時間とをそれぞれ積算して、メモリの所定のエリアに記憶する。視聴者が画面を見ているか否かの判別手法については後述する。
また、マイク５１から入力される音声を解析して、当該視聴者の感情（驚き、喜び、悲しみ、怒り等）の強さを、その種別毎に、メモリの所定のエリアにそれぞれ記憶する。ここで、例えば、感情の強さに応じて当該感情のポイントを加点して、そのポイントを記憶するようにしてもよい。音声分析に基づいて視聴者の感情の強さを感情の種別毎に推定する手法としては、先述の公知の手法を用いることができる。なお、当該視聴者が発した音声であるか、周囲の雑音であるかは、当該視聴者の通話時の音声を蓄積しておき、声紋を比べることで分離可能である。
【００１８】
状態の監視（Ｓ１３）は、番組の開始から終了まで行う。番組の開始や終了のタイミングは、例えば、デジタル放送の場合、トランスポートストリーム（ＴＳ）のヘッダ情報中のＰＳＩ（Program Specific Information）から取得することができる。
なお、本例では、番組の開始から終了までモニタリングしているが、これに代えて、例えば、番組の開始初期１０分、中途１０分、終了直前１０分等のように、ある程度分断して行っても良い。また、コマーシャル区間を除いてモニタリングしてもよく、コマーシャル区間を番組と区別して、それぞれモニタリングしてもよい。
【００１９】
番組が終了すると（Ｓ１５でＹＥＳ）、各状態（圧力／発汗／体温／実視聴／感情）の順位（ランク）を、それぞれ決定する（Ｓ１７）。
即ち、圧力と発汗と体温については、メモリに保持している代表値とのずれ（例：正規分布の偏差値等）に応じて、それぞれランク付けを行う。ずれが大きいほど（＝ランクが高いほど）、視聴者の興奮の度合いが大きかったと推定できる。
また、視聴者が実際に画面を見ていた時間の、番組時間（見ていた時間＋見ていなかった時間）に対する比を求めて、ランク付けを行う。実視聴時間の比率が高いほど（＝ランクが高いほど）、視聴者が番組に熱中して注視していたと推定できる。
また、マイク入力の音声に基づいて得た感情の種別毎のポイントに基づいて、感情の種別毎のランク付けを行う。例えば、驚きのポイントが大きければ、当該視聴者は、その番組を見て大きな驚きを味わったと推定できる。また、番組が悲劇である場合に於いて悲しみのポイントが大きければ、視聴者は、その番組に熱中していたと推定できる。他の感情についても同様である。
【００２０】
こうして決定したランク（順位）を、所定の宛先へ送信する（Ｓ１９）。例えば、放送事業者、番組提供者（コマーシャル提供者）等へ送信する。この送信には、携帯電話機のデータ送信機能を用いる。なお、各状態情報（圧力，発汗，体温，注視時間，感情）別の順位に代えて、又は、各状態情報の順位とともに、各状態情報の順位から算出した総合的な順位を送信するようにしてもよい。
また、実際に見ていた時間の比の場合、体温等と異なり視聴者毎の差異（比較用のデータの差異）に依存しないため、生のデータをそのまま送信してもよい。
放送事業者や番組提供者の側では、受信したデータを集計して、当該番組の評判等を評価することができる。
【００２１】
視聴者が画面を見ているか否かの判別手法：
図３は図１の携帯電話機に於いて人が見ているか否かを判別する手順を示すフローチャート、図４は図３のステップＳ１１１の処理の一例を示すフローチャートである。
【００２２】
まず、表示状態制御、又は、録画・加速再生制御からの指示に応答して、カメラ５３の撮影画像を取り込む（Ｓ１０１）。
次に、取り込んだ画像領域から顔領域を抽出する（Ｓ１０３）。画像領域から顔領域を抽出する手法としては、公知のパターンマッチングを用いることができる。
次に、抽出した顔領域から左右の目領域をそれぞれ抽出する（Ｓ１０５）。顔領域から目領域を抽出する手法としては、公知のパターンマッチングを用いることができる。
次に、各目領域から黒目（瞳）領域をそれぞれ抽出する（Ｓ１０７）。目領域から黒目領域を抽出する手法としては、公知のパターンマッチングを用いることができる。
ステップＳ１０９では、顔領域と目領域に基づいて、顔の向きを判別する。顔の向きを判別する手法としては種々の手法が公知である。例えば、アフィンパラメータを用いて顔の向きを認識する手法を用いることができる。
【００２３】
ステップＳ１１１では、顔の向きと、画像領域内の顔の位置と、目領域内に黒目の位置に基づいて、人が画面を見ているか否かを判別する。
【００２４】
ステップＳ１１１の処理の一例を、図４に即して、図５〜図８を参照して説明する。
顔の向きが表示パネルの方を向いていない場合は（Ｓ１６１でＮＯ）、顔領域の位置をチェックする（Ｓ１６３）。
顔領域が画像領域内の左寄りに在り、黒目領域が目領域内で右位置に在る場合は（Ｓ１６３でＹＥＳ，且つ、Ｓ１６５でＹＥＳ）、図５左欄に図解する場合であり、人が表示パネルを見ている可能性が高い。したがって、Ｐの値を１増加させる（Ｓ１６７）。
顔領域が画像領域内の左寄りに在り、黒目領域が目領域内で右位置に無い場合は（Ｓ１６３でＹＥＳ，且つ、Ｓ１６５でＮＯ）、図６左欄に図解する場合であり、人が表示パネルを見ていない可能性が高い。したがって、Ｐの値を１減少させる（Ｓ１６９）。
【００２５】
顔領域が画像領域内の左寄りに無く、黒目領域が目領域内で左位置に在る場合は（Ｓ１６３でＮＯ，且つ、Ｓ１７５でＹＥＳ）、図５右欄に図解する場合であり、人が表示パネルを見ている可能性が高い。したがって、Ｐの値を１増加させる（Ｓ１７７）。
顔領域が画像領域内の左寄りに無く、黒目領域が目領域内で左位置に無い場合は（Ｓ１６３でＮＯ，且つ、Ｓ１７５でＮＯ）、図６右欄に図解する場合であり、人が表示パネルを見ていない可能性が高い。したがって、Ｐの値を１減少させる（Ｓ１７９）。
【００２６】
顔の向きが表示パネルの方を向いている場合は（Ｓ１６１でＹＥＳ）、目領域内での黒目領域の位置をチェックする（Ｓ１８５）。
顔が表示パネルの方を向いている場合には、顔領域が画像領域内の何れの位置にあったとしても、黒目領域が目領域内の略中央に位置するのであれば（Ｓ１８５でＹＥＳ）、図７に図解するように、人が表示パネルを見ている可能性が高い。したがって、Ｐの値を１増加させる（Ｓ１８７）。
一方、顔が表示パネルの方を向いている場合に於いて、黒目領域が目領域内の略中央位置に無い場合は（Ｓ１８５でＮＯ）、画像領域内での顔領域の位置にかかわらず、図８に図解するように、人が表示パネルを見ていない可能性が高い。したがって、Ｐの値を１減少させる（Ｓ１８９）。
【００２７】
次に、Ｐの値をチェックし（Ｓ１９１）、Ｐが正であれば（Ｓ１９１でＹＥＳ）、人が表示パネルを見ていると判別し（Ｓ１９３）、Ｐが正でなければ（Ｓ１９１でＮＯ）、人が表示パネルを見ていないと判別する（Ｓ１９５）。
【００２８】
なお、上記の処理は判別手法の一例を簡略化して述べたものであり、より精度の高い判別手法を用いてもよい。例えば、画像領域内で顔の位置や目領域内での黒目の位置を右と左という２位置とせず、右／中央／左、更には上／下等として設定し、より精度の高い判別を行うようにしてもよい。
【００２９】
また、カメラの設置位置が表示パネルの位置とずれている場合、即ち、図９に図解する場合には、人がカメラを見た時と表示パネルを見た時とで視線がずれる。このため、例えば、顔を表示パネルに向けた状態で表示パネルを見ている時には、カメラによる撮影画像では、目領域内の黒目の位置が中央ではなく、左（又は右）にずれる。したがって、上記の判定についても、そのようなずれを織り込むことが必要となる。
【００３０】
また、携帯型の表示装置では、顔を表示パネルに近づけて視聴することが多い。換言すれば、顔が表示パネルから離れている場合には、図１０に図解するように、表示パネルを見ていない可能性が高い。このことを上記の判定に織り込むようにしてもよい。即ち、カメラで撮影した画像領域中で顔領域が占める割合に応じて、上記の判定を修正するようにしてもよい。
【図面の簡単な説明】
【００３１】
【図１】デジタル放送を受信して映像や音声を再生するテレビ機能を備えた携帯電話機として、本発明を具体化した装置を例示するブロック図。
【図２】番組視聴者の反応を取得する手順を示すフローチャート。
【図３】図１の携帯電話機に於いて人が見ているか否かを判別する手順を示すフローチャート。
【図４】図３の状態判別処理（Ｓ１１１）の一例を示すフローチャート。
【図５】表示パネルの向きが顔の向きと一致しない場合に於いて画面を見ている可能性が高い場合を図解する説明図。
【図６】表示パネルの向きが顔の向きと一致しない場合に於いて画面を見ていない可能性が高い場合を図解する説明図。
【図７】表示パネルの向きが顔の向きと一致する場合に於いて画面を見ている可能性が高い場合を図解する説明図。
【図８】表示パネルの向きが顔の向きと一致する場合に於いて画面を見ていない可能性が高い場合を図解する説明図。
【図９】画面を見ているか否かを判別する際にカメラの取付位置との関係で考慮する必要がある場合を図解する説明図。
【図１０】画面を見ているか否かを判別する際にカメラと人との距離との関係で考慮する必要がある場合を図解する説明図。
【符号の説明】
【００３２】
１０  制御装置
２１  電話用送受信回路
２２  チャネルコーデック
２３  音声コーデック
３１  テレビ用受信回路
３２  デスクランブラ
３３  デマルチプレクサ
３４  デコーダ
３５  音声処理回路
３６  映像処理回路
５１  マイク
５２  スピーカ
５３  カメラ
５４  入力装置
５５  表示装置
５７  圧力センサ／発汗センサ／体温センサ
５９  アンテナ                                                                  
【図１】
2005210155.tif 000003
【図２】
2005210155.tif 000004
【図３】
2005210155.tif 000005
【図４】
2005210155.tif 000006
【図５】
2005210155.tif 000007
【図６】
2005210155.tif 000008
【図７】
2005210155.tif 000009
【図８】
2005210155.tif 000010
【図９】
2005210155.tif 000011
【図１０】
2005210155.tif 000012